(57)【特許請求の範囲】
【請求項１】
実際に放送が行われているチャンネルのチャンネル番号に対応するサービスＩＤを含む伝送信号を所定時間ごとに受信する受信手段と、
受信された前記伝送信号に含まれる複数の前記サービスＩＤを大きさの順にソートして記述したテーブルを作成する作成手段と、
前記伝送信号の内容が更新されるごとに前記テーブルを更新する更新手段と、
選択する前記チャンネルに対応する前記チャンネル番号を大きくする方向に切り換えるか、または小さくする方向に切り換えるかを指示するアップダウン指示手段と、
複数の前記チャンネルの中から前記アップダウン指示手段による指示に応じた前記チャンネルを選局する選局手段と、
前記アップダウン指示手段による前記チャンネル番号を大きくする方向の切り換えが指示されていない場合、前記チャンネル番号を小さくする方向の切り換えが指示されたかを判定し、前記チャンネル番号を小さくする方向の切り換えが指示されていない場合、前記チャンネル番号を大きくする方向の切り換えが指示されたかを判定することにより、前記チャンネル番号の切り換えの方向が２つの方向のうちのいずれの方向であるかを判定し、いずれかの方向への切り換えが指示された場合、受信中の前記チャンネルの前記チャンネル番号に対応する前記サービスＩＤが記憶されているテーブルのポインタの値を、指示された切り換えの方向に対応して１だけ変化させた値の前記ポインタに記憶されている前記サービスＩＤに対応する前記チャンネル番号のＯＳＤデータを生成し、受信した前記チャンネルの画像を表示する表示部に表示されている、前記アップダウン指示手段による切り換えの指示が実行される直前に受信していた前記チャンネルの番組の画像上の所定の位置に、生成された前記ＯＳＤデータの前記チャンネル番号を重畳させるように表示させるとともに、前記ＯＳＤデータの前記チャンネル番号が表示されている状態において、前記アップダウン指示手段による指示が連続して行われているかを、前記アップダウン指示手段に対するユーザーの指による押圧操作が終了したか否かに基づいて判定し、前記ユーザーの指による押圧操作が終了していない場合、前記切り換えの方向に対応して前記ポインタの値を１ずつ変化させることで、前記アップダウン指示手段による切り換えの指示が実行される直前に受信していた前記チャンネルの前記番組の画像上の前記所定の位置に重畳させるように表示されている前記ＯＳＤデータの前記チャンネル番号を順次変化させ、前記ユーザーの指による押圧操作が終了した場合、そのとき表示されている前記ＯＳＤデータの前記チャンネル番号に対応する前記チャンネルの選局を開始させ、選局が開始されるまでは、前記アップダウン指示手段による切り換えの指示が実行される直前に受信していた前記チャンネルを受信させるように前記選局手段を制御する制御手段と
を備える受信装置。
【請求項２】
前記アップダウン指示手段からの指示に応じて、所定の前記チャンネル番号を表示させる前記表示部としてのチャンネル番号表示手段をさらに備える
請求項１に記載の受信装置。
【請求項３】
各チャンネルの前記チャンネル番号を記憶する記憶手段をさらに備え、
前記チャンネル番号表示手段は、前記アップダウン指示手段からの指示に従って、前記記憶手段に記憶されている前記チャンネル番号の所定のものを表示する
請求項２に記載の受信装置。
【請求項４】
前記記憶手段は、前記伝送信号に含まれる受信可能な前記チャンネルを表す情報に基づいて、受信可能な前記チャンネルに対応する前記チャンネル番号を記憶する
請求項３に記載の受信装置。
【請求項５】
前記記憶手段は、前記チャンネル番号を前記チャンネル番号の大きさの順に記憶する
請求項４に記載の受信装置。
【請求項６】
受信装置の受信方法において、
受信手段と、
作成手段と、
更新手段と、
アップダウン指示手段と、
選局手段と、
制御手段と
を備え、
前記受信手段は、実際に放送が行われているチャンネルのチャンネル番号に対応するサービスＩＤを含む伝送信号を所定時間ごとに受信し、
前記作成手段は、受信された前記伝送信号に含まれる複数の前記サービスＩＤを大きさの順にソートして記述したテーブルを作成し、
前記更新手段は、前記伝送信号の内容が更新されるごとに前記テーブルを更新し、
前記アップダウン指示手段は、選択する前記チャンネルに対応する前記チャンネル番号を大きくする方向に切り換えるか、または小さくする方向に切り換えるかを指示し、
前記選局手段は、複数の前記チャンネルの中から前記アップダウン指示手段による指示に応じた前記チャンネルを選局し、
前記制御手段は、前記アップダウン指示手段による前記チャンネル番号を大きくする方向の切り換えが指示されていない場合、前記チャンネル番号を小さくする方向の切り換えが指示されたかを判定し、前記チャンネル番号を小さくする方向の切り換えが指示されていない場合、前記チャンネル番号を大きくする方向の切り換えが指示されたかを判定することにより、前記チャンネル番号の切り換えの方向が２つの方向のうちのいずれの方向であるかを判定し、いずれかの方向への切り換えが指示された場合、受信中の前記チャンネルの前記チャンネル番号に対応する前記サービスＩＤが記憶されているテーブルのポインタの値を、指示された切り換えの方向に対応して１だけ変化させた値の前記ポインタに記憶されている前記サービスＩＤに対応する前記チャンネル番号のＯＳＤデータを生成し、受信した前記チャンネルの画像を表示する表示部に表示されている、前記アップダウン指示手段による切り換えの指示が実行される直前に受信していた前記チャンネルの番組の画像上の所定の位置に、生成された前記ＯＳＤデータの前記チャンネル番号を重畳させるように表示させるとともに、前記ＯＳＤデータの前記チャンネル番号が表示されている状態において、前記アップダウン指示手段による指示が連続して行われているかを、前記アップダウン指示手段に対するユーザーの指による押圧操作が終了したか否かに基づいて判定し、前記ユーザーの指による押圧操作が終了していない場合、前記切り換えの方向に対応して前記ポインタの値を１ずつ変化させることで、前記アップダウン指示手段による切り換え指示が実行される直前に受信していた前記チャンネルの前記番組の画像上の前記所定の位置に重畳させるように表示されている前記ＯＳＤデータの前記チャンネル番号を順次変化させ、前記ユーザーの指による押圧操作が終了した場合、そのとき表示されている前記ＯＳＤデータの前記チャンネル番号に対応する前記チャンネルの選局を開始させ、選局が開始されるまでは、前記アップダウン指示手段による切り換えの指示が実行される直前に受信していた前記チャンネルを受信させるように前記選局手段を制御する
受信方法。
【発明の詳細な説明】
【技術分野】
【０００１】
本発明は、受信装置および方法に関し、例えば、所望のチャンネルへの切り換えを迅速に行えるようにした受信装置および方法に関する。
【背景技術】
【０００２】
従来、アナログ放送において、選局とは、放送電波等により伝送されてきた信号を受信する受信周波数を、所望のチャンネルの周波数に合わせること、いわゆるチューニングを行うことをいう。受信周波数が所望のチャンネルの搬送周波数に合うと、ほぼ瞬時にそのチャンネルの画像と音声が出力される。
【０００３】
例えば、＋／−キーによってチャンネルを順番に切り換える場合、＋／−キーが押し続けられたときでも、１チャンネルずつ逐次選局を行い、選局されたチャンネルに対応する画像と音声がほぼ瞬時に出力される。これにより、各チャンネルのチャンネル番号、およびそのチャンネルの画像や音声を見ながら、所望のチャンネルを選択することができる。
【０００４】
また、衛星を使ったディジタルテレビジョン放送においても、＋／−キーによってチャンネルを順番に切り換えるようにすることが考えられる。
【発明の開示】
【発明が解決しようとする課題】
【０００５】
しかしながら、画像や音声を圧縮して伝送するディジタルテレビジョン放送においては、受信側で、圧縮された画像や音声を伸長する必要がある。このため、例えば、＋／−キーが押し続けられ、チャンネルが順番に切り換えられ、チャンネルが切り換えられる度に、切り換えられたチャンネルの画像や音声が出力されるまで、例えば、２乃至３秒の時間を要する課題があった。
【０００６】
また、単に、チャンネル番号を１ずつ増加または減少させて選局を行うと、実際には放送されていないチャンネルを選局してしまう場合があり、操作性が悪い課題があった。
【０００７】
本発明はこのような状況に鑑みてなされたものであり、簡単なキー操作で、所望のチャンネルを迅速に選局することができるようにするものである。
【課題を解決するための手段】
【０００８】
本発明の一側面の受信装置は、実際に放送が行われているチャンネルのチャンネル番号に対応するサービスＩＤを含む伝送信号を所定時間ごとに受信する受信手段と、受信された前記伝送信号に含まれる複数の前記サービスＩＤを大きさの順にソートして記述したテーブルを作成する作成手段と、前記伝送信号の内容が更新されるごとに、前記テーブルを更新する更新手段と、選択する前記チャンネルに対応する前記チャンネル番号を大きくする方向に切り換えるか、または小さくする方向に切り換えるかを指示するアップダウン指示手段と、複数の前記チャンネルの中から前記アップダウン指示手段による指示に応じた前記チャンネルを選局する選局手段と、前記アップダウン指示手段による前記チャンネル番号を大きくする方向の切り換えが指示されていない場合、前記チャンネル番号を小さくする方向の切り換えが指示されたかを判定し、前記チャンネル番号を小さくする方向の切り換えが指示されていない場合、前記チャンネル番号を大きくする方向の切り換えが指示されたかを判定することにより、前記チャンネル番号の切り換えの方向が２つの方向のうちのいずれの方向であるかを判定し、いずれかの方向への切り換えが指示された場合、受信中の前記チャンネルの前記チャンネル番号に対応する前記サービスＩＤが記憶されているテーブルのポインタの値を、指示された切り換えの方向に対応して１だけ変化させた値の前記ポインタに記憶されている前記サービスＩＤに対応する前記チャンネル番号のＯＳＤデータを生成し、受信した前記チャンネルの画像を表示する表示部に表示されている、前記アップダウン指示手段による切り換えの指示が実行される直前に受信していた前記チャンネルの番組の画像上の所定の位置に、生成された前記ＯＳＤデータの前記チャンネル番号を重畳させるように表示させるとともに、前記ＯＳＤデータの前記チャンネル番号が表示されている状態において、前記アップダウン指示手段による指示が連続して行われているかを、前記アップダウン指示手段に対するユーザーの指による押圧操作が終了したか否かに基づいて判定し、前記ユーザーの指による押圧操作が終了していない場合、前記切り換えの方向に対応して前記ポインタの値を１ずつ変化させることで、前記アップダウン指示手段による切り換えの指示が実行される直前に受信していた前記チャンネルの前記番組の画像上の前記所定の位置に重畳させるように表示されている前記ＯＳＤデータの前記チャンネル番号を順次変化させ、前記ユーザーの指による押圧操作が終了した場合、そのとき表示されている前記ＯＳＤデータの前記チャンネル番号に対応する前記チャンネルの選局を開始させ、選局が開始されるまでは、前記アップダウン指示手段による切り換えの指示が実行される直前に受信していた前記チャンネルを受信させるように前記選局手段を制御する制御手段とを備える。
【０００９】
前記アップダウン指示手段からの指示に応じて、所定の前記チャンネル番号を表示させる前記表示部としてのチャンネル番号表示手段をさらに備えさせるようにすることができる。
【００１０】
各チャンネルの前記チャンネル番号を記憶する記憶手段をさらに備えさせるようにすることができ、前記チャンネル番号表示手段には、前記アップダウン指示手段からの指示に従って、前記記憶手段に記憶されている前記チャンネル番号の所定のものを表示させるようにすることができる。
【００１１】
前記記憶手段は、前記伝送信号に含まれる受信可能な前記チャンネルを表す情報に基づいて、受信可能な前記チャンネルに対応する前記チャンネル番号を記憶させるようにすることができる。
【００１２】
前記記憶手段には、前記チャンネル番号を前記チャンネル番号の大きさの順に記憶させるようにすることができる。
【００１３】
本発明の一側面の受信方法は、受信手段と、作成手段と、更新手段と、アップダウン指示手段と、選局手段と、制御手段とを備え、前記受信手段は、実際に放送が行われているチャンネルのチャンネル番号に対応するサービスＩＤを含む伝送信号を所定時間ごとに受信し、前記作成手段は、受信された前記伝送信号に含まれる複数の前記サービスＩＤを大きさの順にソートして記述したテーブルを作成し、前記更新手段は、前記伝送信号の内容が更新されるごとに前記テーブルを更新し、前記アップダウン指示手段は、選択する前記チャンネルに対応する前記チャンネル番号を大きくする方向に切り換えるか、または小さくする方向に切り換えるかを指示し、前記選局手段は、複数の前記チャンネルの中から前記アップダウン指示手段による指示に応じた前記チャンネルを選局し、前記制御手段は、前記アップダウン指示手段による前記チャンネル番号を大きくする方向の切り換えが指示されていない場合、前記チャンネル番号を小さくする方向の切り換えが指示されたかを判定し、前記チャンネル番号を小さくする方向の切り換えが指示されていない場合、前記チャンネル番号を大きくする方向の切り換えが指示されたかを判定することにより、前記チャンネル番号の切り換えの方向が２つの方向のうちのいずれの方向であるかを判定し、いずれかの方向への切り換えが指示された場合、受信中の前記チャンネルの前記チャンネル番号に対応する前記サービスＩＤが記憶されているテーブルのポインタの値を、指示された切り換えの方向に対応して１だけ変化させた値の前記ポインタに記憶されている前記サービスＩＤに対応する前記チャンネル番号のＯＳＤデータを生成し、受信した前記チャンネルの画像を表示する表示部に表示されている、前記アップダウン指示手段による切り換えの指示が実行される直前に受信していた前記チャンネルの番組の画像上の所定の位置に、生成された前記ＯＳＤデータの前記チャンネル番号を重畳させるように表示させるとともに、前記ＯＳＤデータの前記チャンネル番号が表示されている状態において、前記アップダウン指示手段による指示が連続して行われているかを、前記アップダウン指示手段に対するユーザーの指による押圧操作が終了したか否かに基づいて判定し、前記ユーザーの指による押圧操作が終了していない場合、前記切り換えの方向に対応して前記ポインタの値を１ずつ変化させることで、前記アップダウン指示手段による切り換えの指示が実行される直前に受信していた前記チャンネルの前記番組の画像上の前記所定の位置に重畳させるように表示されている前記ＯＳＤデータの前記チャンネル番号を順次変化させ、前記ユーザーの指による押圧操作が終了した場合、そのとき表示されている前記ＯＳＤデータの前記チャンネル番号に対応する前記チャンネルの選局を開始させ、選局が開始されるまでは、前記アップダウン指示手段による切り換えの指示が実行される直前に受信していた前記チャンネルを受信させるように前記選局手段を制御する。
【００１４】
本発明の一側面においては、実際に放送が行われているチャンネルのチャンネル番号に対応するサービスＩＤを含む伝送信号が所定時間ごとに受信され、受信された前記伝送信号に含まれる複数の前記サービスＩＤを大きさの順にソートして記述したテーブルが作成され、前記伝送信号の内容が更新されるごとに前記テーブルが更新され、選択する前記チャンネルに対応する前記チャンネル番号を大きくする方向に切り換えるか、または小さくする方向に切り換えるかが指示され、複数の前記チャンネルの中から指示に応じた前記チャンネルが選局され、前記チャンネル番号を大きくする方向の切り換えが指示されていない場合、前記チャンネル番号を小さくする方向の切り換えが指示されたかが判定され、前記チャンネル番号を小さくする方向の切り換えが指示されていない場合、前記チャンネル番号を大きくする方向の切り換えが指示されたかが判定されることにより、前記チャンネル番号の切り換えの方向が２つの方向のうちのいずれの方向であるかが判定され、いずれかの方向への切り換えが指示された場合、受信中の前記チャンネルの前記チャンネル番号に対応する前記サービスＩＤが記憶されているテーブルのポインタの値を、指示された切り換えの方向に対応して１だけ変化させた値の前記ポインタに記憶されている前記サービスＩＤに対応する前記チャンネル番号のＯＳＤデータが生成され、受信した前記チャンネルの画像を表示する表示部に表示されている、前記アップダウン指示手段による切り換えの指示が実行される直前に受信していた前記チャンネルの番組の画像上の所定の位置に、生成された前記ＯＳＤデータの前記チャンネル番号を重畳させるように表示されるとともに、前記ＯＳＤデータの前記チャンネル番号が表示されている状態において、指示が連続して行われているかが、ユーザーの指による押圧操作が終了したか否かに基づいて判定され、前記ユーザーの指による押圧操作が終了していない場合、前記切り換えの方向に対応して前記ポインタの値を１ずつ変化させることで、前記アップダウン指示手段による切り換えの指示が実行される直前に受信していた前記チャンネルの前記番組の画像上の前記所定の位置に重畳させるように表示されている前記ＯＳＤデータの前記チャンネル番号が順次変化され、前記ユーザーの指による押圧操作が終了した場合、そのとき表示されている前記ＯＳＤデータの前記チャンネル番号に対応する前記チャンネルの選局が開始され、選局が開始されるまでは、前記アップダウン指示手段による切り換えの指示が実行される直前に受信していた前記チャンネルを受信されるように制御される。
【発明の効果】
【００１５】
本発明の一側面の受信装置、および受信方法によれば、指示手段が引き続き押下され続け、チャンネルの切り換えが連続して指示された場合には、指示手段の押下操作が終了した後に、対応するチャンネルの選局を開始するようにしたので、迅速に所望のチャンネルを選局することが可能となる。
【発明を実施するための最良の形態】
【００１６】
図１は、本発明を応用したＡＶ（Audio Video）システムの構成例を示している。この実施例の場合、ＡＶシステムは、図示せぬ送信装置より衛星（放送衛星または通信衛星）を介して伝送されてきた電波を、パラボラアンテナ１で受信した信号を復調するＩＲＤ（Integrated Receiver/Decoder）２と、テレビジョン受像機３により構成されている。
【００１７】
ＩＲＤ２（またはテレビジョン受像機３）に対しては、リモートコマンダ６により赤外線（ＩＲ：Infrared）信号により指令を入力することができるようになされている。即ち、リモートコマンダ６のスイッチの所定のものを操作すると、それに対応するＩＲ信号がそのＩＲ信号発信部７２（図４）から出射され、ＩＲＤ２のＩＲ信号受信部５４（図２）に入射されるようになされている。
【００１８】
ＩＲＤ２は、その出力を、例えば、コンポジットビデオ信号線、オーディオＬ信号線、オーディオＲ信号線の３本の線により構成されるＡＶライン４を介してテレビジョン受像機３に供給している。さらに、ＩＲＤ２はＡＶ機器制御信号送受信部２Ａを、テレビジョン受像機３はＡＶ機器制御信号送受信部３Ａを、それぞれ有している。これらは、ワイヤードＳＩＲＣＳ（Wired Sony Infrared Remote Control System）（商標）よりなるコントロールライン５により、相互に接続されている。
【００１９】
図２は、ＩＲＤ２の正面の構成例を表している。筐体５１の中央には蓋５２が開閉自在に設けられ、内部にＩＣカード３３を装着できるようになされている。ＩＲＤ２の左側には、電源キー５３が設けられている。この電源キー５３は、電源をオンまたはオフするとき操作される。電源キー５３の下方には、リモートコマンダ６からのＩＲ信号を受信するＩＲ信号受信部５４が設けられている。
【００２０】
ＬＥＤ５５は、衛星を介して、このＩＲＤ２に対して、所定のメッセージが伝送されてきたとき、点灯するようになされている。ユーザがこのメッセージをテレビジョン受像機３に出力し、表示させ、これを確認したとき、ＬＥＤ５５は消灯される。ＬＥＤ５５の下に配置されているＬＥＤ５６は、ＩＲＤ２が電話回線を介して通信中であるとき点灯する。
【００２１】
番組ガイドキー５７とメニューキー５８は、それぞれテレビジョン受像機３に電子番組ガイドまたはメニューを表示させるとき操作される。
【００２２】
決定キー６５の周囲の上下左右には、それぞれアップキー６１、ダウンキー６２、レフトキー６３およびライトキー６４が環状に配置されている。これらのアップキー６１、ダウンキー６２、レフトキー６３およびライトキー６４（以下、これらのキーを、適宜、方向キーとも称する）は、カーソルを上下左右方向に移動するとき操作される。また、決定キー６５は、選択を決定するとき（セレクトするとき）操作される。チャンネルアップキー５９とチャンネルダウンキー６０は、受信しているチャンネルをアップまたはダウンさせるとき操作される。
【００２３】
図３は、ＩＲＤ２の内部の構成例を示している。パラボラアンテナ１のＬＮＢ（Low Noise Block downconverter）１ａより出力されたＲＦ信号は、フロントエンド２０（受信手段）のチューナ２１に供給され、復調される。チューナ２１の出力は、ＱＰＳＫ復調回路２２に供給され、ＱＰＳＫ復調される。ＱＰＳＫ復調回路２２の出力は、エラー訂正回路２３に供給され、エラーが検出、訂正され、必要に応じて補正される。
【００２４】
ＣＰＵ、ＲＯＭおよびＲＡＭ等からなるＩＣカード３３には、暗号を解読するのに必要なキーが、解読プログラムとともに格納されている。衛星を介して送信される信号が暗号化されている場合、この暗号を解読するにはキーと解読処理が必要となる。そこで、カードリーダインタフェース３２を介してＩＣカード３３からこのキーが読み出され、デマルチプレクサ２４に供給される。デマルチプレクサ２４は、このキーを利用して、暗号化された信号を解読する。
【００２５】
尚、このＩＣカード３３には、暗号解読に必要なキーと解読プログラムの他、課金情報なども格納されている。
【００２６】
デマルチプレクサ２４は、フロントエンド２０のエラー訂正回路２３の出力する信号の入力を受け、これをデータバッファメモリ（ＤＲＡＭ（Dynamic Random Access Memory）またはＳＲＡＭ（Static Random Access Memory））３５に一旦記憶させる。そして、適宜これを読み出し、解読したビデオ信号をＭＰＥＧビデオデコーダ２５に供給し、解読したオーディオ信号をＭＰＥＧオーディオデコーダ２６に供給する。
【００２７】
ＭＰＥＧビデオデコーダ２５は、入力されたデジタルビデオ信号をＤＲＡＭ２５ａに適宜記憶させ、ＭＰＥＧ方式により圧縮されているビデオ信号のデコード処理を実行する。デコードされたビデオ信号は、ＮＴＳＣエンコーダ２７に供給され、ＮＴＳＣ方式の輝度信号（Ｙ）、クロマ信号（Ｃ）、およびコンポジット信号（Ｖ）に変換される。輝度信号とクロマ信号は、バッファアンプ２８Ｙ，２８Ｃを介して、それぞれＳビデオ信号として出力される。また、コンポジット信号は、バッファアンプ２８ＶからＡＶライン４を介して出力される。
【００２８】
なお、このＭＰＥＧビデオデコーダ２５としては、SGS-Thomson Microelectronics社のＭＰＥＧ２復号化ＬＳＩ（ＳＴｉ３５００）を用いることができる。その概略は、例えば、日経ＢＰ社「日経エレクトロニクス」１９９４．３．１４（ｎｏ．６０３）第１０１頁乃至１１０頁に、Martin Bolton氏により紹介されている。
【００２９】
また、ＭＰＥＧ２−Transportstreamに関しては、アスキー株式会社１９９４年８月１日発行の「最新ＭＰＥＧ教科書」第２３１頁乃至２５３頁に説明がなされている。
【００３０】
ＭＰＥＧオーディオデコーダ２６は、デマルチプレクサ２４より供給されたデジタルオーディオ信号をＤＲＡＭ２６ａに適宜記憶させ、ＭＰＥＧ方式により圧縮されているオーディオ信号のデコード処理を実行する。デコードされたオーディオ信号は、Ｄ／Ａ変換器３０においてＤ／Ａ変換され、左チャンネルのオーディオ信号は、バッファアンプ３１ＬからＡＶライン４を介して出力され、右チャンネルのオーディオ信号は、バッファアンプ３１ＲからＡＶライン４を介して出力される。
【００３１】
ＲＦモジュレータ４１は、ＮＴＳＣエンコーダ２７が出力するコンポジット信号と、Ｄ／Ａ変換器３０が出力するオーディオ信号とをＲＦ信号に変換して出力する。また、このＲＦモジュレータ４１は、ＴＶモードが設定されたとき、ケーブルボックス等のＡＶ機器から入力されるＮＴＳＣ方式のＲＦ信号をスルーして、ＶＣＲや他のＡＶ機器（いずれも図示せず）にそのまま出力する。
【００３２】
この実施例の場合、これらのビデオ信号およびオーディオ信号が、ＡＶライン４を介してテレビジョン受像機３に供給されることになる。
【００３３】
ＣＰＵ（Central Processing Unit）２９（チャンネル番号表示手段、選局手段）は、ＲＯＭ３７に記憶されているプログラムに従って各種の処理を実行する。例えば、チューナ２１、ＱＰＳＫ復調回路２２、エラー訂正回路２３などを制御する。また、ＡＶ機器制御信号送受信部２Ａを制御し、コントロールライン５を介して、他のＡＶ機器（この実施例の場合、テレビジョン受像機３）に所定のコントロール信号を出力し、また、他のＡＶ機器からのコントロール信号を受信する。
【００３４】
このＣＰＵ２９に対しては、フロントパネル４０の各種のキー（図２）を操作して、所定の指令を直接入力することができる。また、リモートコマンダ６（図４）を操作すると、そのＩＲ信号発信部７２よりＩＲ信号が出射され、このＩＲ信号がＩＲ信号受信部３９により受光され、受光結果がＣＰＵ２９に供給される。従って、リモートコマンダ６を操作することによっても、ＣＰＵ２９に所定の指令を入力することができる。
【００３５】
また、デマルチプレクサ２４は、フロントエンド２０から供給されるＭＰＥＧビデオデータとオーディオデータ以外にＥＰＧ（Electrical Program Guide）データなどを取り込み、データバッファメモリ３５のＥＰＧエリア３５Ａに供給し、記憶させる。ＥＰＧ情報は現在時刻から２４時間後（ＥＰＧ２とＥＰＧ１−２の場合）、または１５０時間後（ＥＰＧ２，ＥＰＧ３と、ＥＰＧ１−２，ＥＰＧ１−３の場合）までの各放送チャンネルの番組に関する情報（例えば、番組の静止画の他、チャンネル、放送時間、タイトル、カテゴリ等）を含んでいる。このＥＰＧ情報は、頻繁に伝送されてくるため、ＥＰＧエリア３５Ａには常に最新のＥＰＧを保持することができる。
【００３６】
ＥＥＰＲＯＭ（Electrically Erasable Programable Read Only Memory）３８には、電源オフ後も保持しておきたいデータ（例えばチューナ２１の４週間分の受信履歴、所定の操作が行われる直前に受信していたチャンネル番号（ラストチャンネル））などが適宜記憶される。そして、この記憶は、例えば、電源がオンされたとき、ラストチャンネルと同一のチャンネルを再び受信させるとき利用される。ラストチャンネルが記憶されていない場合においては、ＲＯＭ３７にデフォルトとして記憶されているチャンネルが受信される。
【００３７】
また、ＣＰＵ２９は、スリープモードが設定されている場合、電源オフ時であっても、フロントエンド２０、デマルチプレクサ２４、データバッファメモリ３５など、最低限の回路を動作状態とし、受信信号に含まれる時刻情報から現在時刻を計時し、所定の時刻に各回路に所定の動作をさせる制御なども実行する。例えば、外部のＶＣＲと連動して、タイマ自動録画を実行する。
【００３８】
さらに、ＣＰＵ２９は、所定のＯＳＤ（On-Screen Display）データを発生したいとき、ＭＰＥＧビデオデコーダ２５を制御する。ＭＰＥＧビデオデコーダ２５は、この制御に対応して所定のＯＳＤデータを生成して、ＤＲＡＭ２５ａのＯＳＤエリアに書き込み、さらに読み出して、出力する。これにより、所定の文字、図形、画像（例えば図５乃至図７において、通常の画面に重畳されている文字、シンボル、アイコン、スクリーン）などを適宜テレビジョン受像機３に出力し、表示させることができる。
【００３９】
ＳＲＡＭ３６はＣＰＵ２９のワークメモリとして使用される。モデム３４は、ＣＰＵ２９の制御の下に、電話回線を介してデータを授受する。
【００４０】
図４は、リモートコマンダ６の構成例を表している。その上部には、各種のキーの操作に対応するＩＲ信号発生するＩＲ信号発信部７２が設けられている。電源キー７３は、ＩＲＤ２の電源をオンまたはオフするとき操作され、テレビ電源キー７４は、テレビジョン受像機３の電源をオンまたはオフするとき操作される。消音キー７５は、音声信号をミュートするとき、またはミュートを解除するとき操作される。切換キー７６は、このリモートコマンダ６により、ＩＲＤ２を遠隔制御するとき操作され、切換キー７７は、このリモートコマンダ６により、テレビジョン受像機３を遠隔操作するとき操作される。
【００４１】
入力切換キー７８は、ＩＲＤ２またはテレビジョン受像機３に対する入力を切り換えるとき操作される。画面表示キー７９は、テレビジョン受像機３に所定の電子番組ガイドの文字などが表示される状態を切り換えるとき操作される。二重音声キー８０は、音声チャンネルとして複数のチャンネルが存在するとき、これを切り換えるとき操作される。
【００４２】
テンキー８１は、０乃至９の数字を入力するとき操作される。また、数字０のキーと「選局」のキーは、数字１０または１２を入力するとき操作され、両者の間に配置されているキーは、数字１１を入力するとき操作される。
【００４３】
メニューキー８２は、メニューを表示させるとき操作され、プロモーションキー（プロモキー）８３は、プロモーションチャンネルを表示させるとき操作される。番組説明キー８４は、電子番組ガイドのうちの番組説明情報を表示させるとき操作される。マルチキー８５は、電子番組ガイドとして、各放送チャンネルの縮小画面を１画面内に、例えば４×４個のマルチ画面として表示させるとき操作される。番組ガイドキー８６は、電子番組ガイドを表示させるとき操作される。ジャンプキー８７は、ラストチャンネルに移行するとき操作される。
【００４４】
アップキー８８、ダウンキー８９、レフトキー９０およびライトキー９１（これらのキーも、以下、適宜、方向キーとも称する）は、それぞれカーソルを上下左右方向に移動させるとき操作され、これらのキーの中央に配置されている決定キー９２は、選択の決定を入力するとき操作される。チャンネルアップダウンキー９４（指示手段）は、受信するチャンネルを１ずつインクリメントまたはデクリメントするとき操作される。このアップキー８８、ダウンキー８９、レフトキー９０、ライトキー９１、決定キー９２は、図２に示す、ＩＲＤ２の本体に設けられているアップキー６１、ダウンキー６２、レフトキー６３、ライトキー６４および決定キー６５と対応するものであり、その配置形状も対応するようになされている。また、チャンネルアップダウンキー９４は、図２のチャンネルアップキー５９およびチャンネルダウンキー６０に対応している。
【００４５】
音量アップダウンキー９３は、音量を一定量ずつ、増加または減少するとき操作される。
【００４６】
次に、その基本的な動作について説明する。ユーザが、リモートコマンダ６の例えばテンキー８１を操作して、所定のチャンネル番号を入力すると、その入力された番号に対応するＩＲ信号が、ＩＲ信号発信部７２から出力される。このＩＲ信号は、ＩＲＤ２のＩＲ信号受信部３９で受信される。ＣＰＵ２９は、ＩＲ信号受信部３９から、ＩＲ信号に対応する信号の供給を受けたとき、入力された番号に対応するチャンネルを受信するようチューナ２１を制御する。
【００４７】
チューナ２１は、ＬＮＢ１ａから供給される信号からＣＰＵ２９により指定されたチャンネル番号に対応する信号を復調し、ＱＰＳＫ復調回路２２に出力する。ＱＰＳＫ復調回路２２でＱＰＳＫ復調された信号は、さらにエラー訂正回路２３に入力され、エラー訂正処理が施された後、デマルチプレクサ２４に入力される。デマルチプレクサ２４においては、入力されたデータがビデオデータとオーディオデータとに分離され、ビデオデータはＭＰＥＧビデオデコーダ２５に、オーディオデータはＭＰＥＧオーディオデコーダ２６に、それぞれ供給される。ＭＰＥＧビデオデコーダ２５は、入力されたビデオデータを、ＭＰＥＧ方式でデコード処理した後、ＮＴＳＣエンコーダ２７に出力する。ＮＴＳＣエンコーダ２７は、入力されたビデオデータをＮＴＳＣ方式のビデオ信号に変換する。このビデオ信号は、例えばアンプ２８Ｖを介して、コンポジットビデオ信号として、ＡＶライン４を介してテレビジョン受像機３に供給される。
【００４８】
また、ＭＰＥＧオーディオデコーダ２６は、入力されたオーディオデータをＭＰＥＧ方式でデコードし、Ｄ／Ａ変換器３０に出力する。Ｄ／Ａ変換器３０は、入力されたオーディオデータをＤ／Ａ変換し、左右のアナログオーディオ信号として、アンプ３１Ｌ，３１Ｒを介して出力する。このオーディオ信号も、ＡＶライン４を介してテレビジョン受像機３に出力される。このようにして、テレビジョン受像機３に、ユーザがリモートコマンダ６を操作して指令した番組の画像と音声が出力される。
【００４９】
また、デマルチプレクサ２４は、受信した信号からＥＰＧデータを検出すると、これをデータバッファメモリ３５に供給し、そのＥＰＧエリア３５Ａを上に記憶させる。
【００５０】
リモートコマンダ６の所定のキーを操作して、このＥＰＧ情報の読み出しが指令されたとき、ＣＰＵ２９は、このＥＰＧエリア３５Ａに記憶されているＥＰＧデータを読み出し、ＭＰＥＧビデオデコーダ２５に、ＯＳＤデータに変換させる。このＯＳＤデータは、ＮＴＳＣエンコーダ２７に出力され、通常の番組の画像上に重畳され、出力される。
【００５１】
ディジタル衛星放送においては、本来の番組に対応するデータの他に、ＮＩＴ（Network Information Table）も送信される。図５は、このＮＩＴの構成例を示したものである。ｖｅｒｓｉｏｎ＿ｎｕｍｂｅｒは、このＮＩＴのバージョンを示しており、例えば、その内容が更新される毎に、バージョン番号が１ずつ増加する。ＮＩＴの中には、任意のｄｅｓｃｒｉｐｔｏｒ（）を記述することができる。
【００５２】
図６は、ｄｅｓｃｒｉｐｔｏｒ（）のうち、ｓｅｒｖｉｃｅ＿ｌｉｓｔ＿ｄｅｓｃｒｉｐｔｏｒの例を示している。ｄｅｓｃｒｉｐｔｏｒ＿ｔａｇに、ｓｅｒｖｉｃｅ＿ｌｉｓｔ＿ｄｅｓｃｒｉｐｔｏｒであることを示すデータが記述される。ｓｅｒｖｉｃｅ＿ｉｄは、チャンネル番号に対応し、ｓｅｒｖｉｃｅ＿ｔｙｐｅは、そのチャンネルの番組の種類を表す。従って、例えば、テレビ、ラジオ、モザイクプロモーション、プロモーション、あるいは、データに対応するｓｅｒｖｉｃｅ＿ｔｙｐｅが記述される。
【００５３】
次に、図７のフローチャートを参照して、チャンネルアップダウンキー９４を操作して、チャンネルを切り換え、所望のチャンネルを選局する方法について説明する。
【００５４】
最初、ステップＳ１において、ＣＰＵ２９により、ＮＩＴから、ｓｅｒｖｉｃｅ＿ｌｉｓｔ＿ｄｅｓｃｒｉｐｔｏｒが取得され、サービステーブルが作成される。ディジタル衛星放送においては、上述したＮＩＴと呼ばれるデータが、例えば０．１秒毎に送信される。ＣＰＵ２９は、このＮＩＴの中のｓｅｒｖｉｃｅ＿ｌｉｓｔ＿ｄｅｓｃｒｉｐｔｏｒを、各トランスポンダ毎に取得し、リストアップしてサービステーブルを作成する。サービステーブルには、ｓｅｒｖｉｃｅ＿ｉｄ（チャンネル番号）が、送信されてきた順番で記述される。したがって、ｓｅｒｖｉｃｅ＿ｉｄは、必ずしもその大きさの順番に記述されるとは限らない。このサービステーブルは、例えば、ＥＥＰＲＯＭ３８に供給され、記憶される。
【００５５】
サービステーブルは、例えば、ＮＩＴのｖｅｒｓｉｏｎ＿ｎｕｍｂｅｒが変更される毎に、更新されるようにする。これにより、常に、実際に放送が行われているチャンネルのチャンネル番号だけが記述されるようにすることができる。
【００５６】
次に、ステップＳ２に進み、ＣＰＵ２９により、チャンネルアップダウンキー９４の「＋」の部分（以下、適宜、チャンネル＋キー９４という）が押されたか否かが判定される。チャンネル＋キー９４が押されたと判定された場合、ステップＳ３に進み、ＣＰＵ２９により、ＥＥＰＲＯＭ３８に記憶されているサービステーブルから、いま選局されているｓｅｒｖｉｃｅ＿ｉｄより大きく、かつ、最も近い値であるｓｅｒｖｉｃｅ＿ｉｄがサーチされる。
【００５７】
一方、ステップＳ２において、チャンネル＋キー９４が押されていないと判定された場合、ステップＳ４に進み、アップダウンキー９４の「−」の部分（以下、適宜、チャンネル−キー９４という）が押されたか否かが判定される。チャンネル−キー９４が押されたと判定された場合、ステップＳ５に進み、ＣＰＵ２９により、ＥＥＰＲＯＭ３８に記憶されているサービステーブルから、いま選局されているｓｅｒｖｉｃｅ＿ｉｄより小さく、かつ、最も近い値であるｓｅｒｖｉｃｅ＿ｉｄがサーチされる。
【００５８】
ステップＳ４において、チャンネル−キー９４が押されていないと判定された場合、ステップＳ２に戻り、ステップＳ２以降の処理が繰り返し実行される。
【００５９】
ステップＳ３における処理、またはステップＳ５における処理のいずれかが終了すると、ステップＳ６に進み、ＣＰＵ２９は、ＭＰＥＧビデオデコーダ２５に対して、サーチされたｓｅｒｖｉｃｅ＿ｉｄに対応するＯＳＤデータの生成、および表示を指令する。ＭＰＥＧビデオデコーダ２５は、ＣＰＵ２９からの指令に従って、サーチされたｓｅｒｖｉｃｅ＿ｉｄに対応するＯＳＤデータを生成し、ＤＲＡＭ２５ａのＯＳＤエリアに書き込み、さらに読み出して出力する。これにより、テレビジョン受像機３の画面上の所定の位置に、ｓｅｒｖｉｃｅ＿ｉｄ（チャンネル番号）が表示される。
【００６０】
次に、ステップＳ７において、ＣＰＵ２９により、チャンネルアップダウンキー９４の操作が終了したか否かが判定される。即ち、チャンネルアップダウンキー９４を押していたユーザの指等が離され、操作が終了したか否かが判定される。チャンネルアップダウンキー９４が引き続き押され続け、操作が終了していないと判定された場合、ステップＳ２に戻り、ステップＳ２以降の処理が繰り返し実行される。これにより、画面に表示されているチャンネル番号だけが高速に変わることになる。
【００６１】
一方、ステップＳ７において、チャンネルアップダウンキー９４を押していたユーザの指等が離され、操作が終了したと判定された場合、ステップＳ８に進み、選局処理が開始される。ここでの選局処理においては、ＣＡ（Conditional Access）条件の確認、およびＭＰＥＧデータのデコードが行われる。
【００６２】
ディジタル衛星放送を選局するには、ＣＡの諸条件を満たしている必要があるため、ＣＰＵ２９の制御により、その条件確認のため、契約時に発行されるＩＣカード３３に記録されているデータが読み出され、条件を満たしているか否かが判定される。ＭＰＥＧデータのデコードについては、上述した、リモートコマンダ６のテンキー８１を操作して、所定のチャンネル番号を直接入力した場合と同様であるので、ここでは、その説明は省略する。
【００６３】
このように、チャンネルアップダウンキー９４を連続して操作した場合、チャンネル番号が高速に変わり、チャンネルアップダウンキー９４の操作が終了した時点で、初めて選局が開始される。したがって、ユーザは、キー操作が確実に受け付けられていることを認識することができる。また、キーの受け付けの反応が速く、ユーザにとって使いやすいものとなる。
【００６４】
さらに、チャンネル番号を変えるとき、サービステーブルをサーチし、そこに存在するチャンネル番号だけを表示するので、現在放送されていないチャンネルが選局され、画面に、例えば「該当するチャンネルはありません」といったメッセージが表示されることがなくなる。
【００６５】
サービステーブルの作成方法としては、上述したように、受信したｓｅｒｖｉｃｅ＿ｉｄを、送信側が送信した順番にサービステーブルに記述する方法と、受信したｓｅｒｖｉｃｅ＿ｉｄをｓｅｒｖｉｃｅ＿ｉｄ順にソートした後、サービステーブルに記述する方法とがある。
【００６６】
以下では、図８のフローチャートを参照して、受信したｓｅｒｖｉｃｅ＿ｉｄがｓｅｒｖｉｃｅ＿ｉｄの大きさの順にソートされた後、サービステーブルに記述される場合に、チャンネルアップダウンキー９４を操作して、チャンネルを切り換え、所望のチャンネルを選局する方法について説明する。
【００６７】
最初、ステップＳ１１において、ＣＰＵ２９により、ＮＩＴから、ｓｅｒｖｉｃｅ＿ｌｉｓｔ＿ｄｅｓｃｒｉｐｔｏｒが取得され、サービステーブルが作成される。この場合、受信されたｓｅｒｖｉｃｅ＿ｉｄは、その大きさの順にソートされる。即ち、サービステーブルには、ｓｅｒｖｉｃｅ＿ｉｄが、その大きさの順番に並んでいることになる。このサービステーブルは、例えば、ＥＥＰＲＯＭ３８に供給され、記憶される。また、上述したように、サービステーブルは所定のタイミングで更新される。
【００６８】
次に、ステップＳ１２に進み、ＣＰＵ２９により、チャンネルアップダウンキー９４の「＋」の部分（チャンネル＋キー９４）が押されたか否かが判定される。チャンネル＋キー９４が押されたと判定された場合、ステップＳ１３に進み、ＣＰＵ２９により、ＥＥＰＲＯＭ３８に記憶されているサービステーブルから、いま選局されているｓｅｒｖｉｃｅ＿ｉｄが記憶されている記憶領域を示すポインタを１だけインクリメントする。そして、１だけインクリメントされたポインタによって示される領域に記憶されているｓｅｒｖｉｃｅ＿ｉｄを取得する。
【００６９】
上述したように、ｓｅｒｖｉｃｅ＿ｉｄは、その大きさの順に記憶されているので、ポインタを１だけインクリメントし、そのポインタで示される領域のｓｅｒｖｉｃｅ＿ｉｄを取得することにより、次に大きいｓｅｒｖｉｃｅ＿ｉｄを取得することができる。
【００７０】
一方、ステップＳ１２において、チャンネル＋キー９４が押されていないと判定された場合、ステップＳ１４に進む。ステップＳ１４においては、チャンネルアップダウンキー９４の「−」の部分（チャンネル−キー９４）が押されたか否かが判定される。チャンネル−キー９４が押されたと判定された場合、ステップＳ１５に進み、ＣＰＵ２９により、ＥＥＰＲＯＭ３８に記憶されているサービステーブルから、いま選局されているｓｅｒｖｉｃｅ＿ｉｄが記憶されている記憶領域を示すポインタを１だけデクリメントする。そして、１だけデクリメントされたポインタによって示される領域に記憶されているｓｅｒｖｉｃｅ＿ｉｄを取得する。
【００７１】
ステップＳ１４において、チャンネル−キー９４が押されていないと判定された場合、ステップＳ１２に戻り、ステップＳ１２以降の処理が繰り返し実行される。
【００７２】
ステップＳ１３における処理、またはステップＳ１５における処理のいずれかが終了すると、ステップＳ１６に進み、ＣＰＵ２９は、ＭＰＥＧビデオデコーダ２５に対して、取得したｓｅｒｖｉｃｅ＿ｉｄに対応するＯＳＤデータの生成、および表示を指令する。ＭＰＥＧビデオデコーダ２５は、ＣＰＵ２９からの指令に従って、取得したｓｅｒｖｉｃｅ＿ｉｄに対応するＯＳＤデータを生成し、ＤＲＡＭ２５ａのＯＳＤエリアに書き込み、さらに読み出して出力する。これにより、テレビジョン受像機３の画面上の所定の位置に、ｓｅｒｖｉｃｅ＿ｉｄ（チャンネル番号）が表示される。
【００７３】
次に、ステップＳ１７において、ＣＰＵ２９により、チャンネルアップダウンキー９４の操作が終了したか否かが判定される。即ち、チャンネルアップダウンキー９４を押していたユーザの指等が離され、操作が終了したか否かが判定される。チャンネルアップダウンキー９４が引き続き押され続け、操作が終了していないと判定された場合、ステップＳ１２に戻り、ステップＳ１２以降の処理が繰り返し実行される。これにより、画面に表示されているチャンネル番号だけが高速に変わることになる。
【００７４】
一方、ステップＳ１７において、チャンネルアップダウンキー９４を押していたユーザの指等が離され、操作が終了したと判定された場合、ステップＳ１８に進み、選局処理が開始される。ここでの選局処理は、図７のステップＳ８における場合と同様であるので、その説明は省略する。
【００７５】
このように、チャンネルアップダウンキー９４を連続して操作した場合、画面に表示されているチャンネル番号が高速に変わり、チャンネルアップダウンキー９４の操作が終了した時点で、初めて、画面に表示されているチャンネル番号に対応するチャンネルの選局が開始される。従って、キーの受け付けの反応が速く、キー操作が確実に受け付けられていることを認識することができ、ユーザにとって使いやすいものとなる。
【００７６】
さらに、チャンネル番号を変えるとき、サービステーブルに記憶されているｓｅｒｖｉｃｅ＿ｉｄを取得して、それを表示するので、ＮＩＴのｓｅｒｖｉｃｅ＿ｌｉｓｔ＿ｄｅｓｃｒｉｐｔｏｒに記述されていないｓｅｒｖｉｃｅ＿ｉｄが選局されることがない。これにより、現在放送されていないチャンネルが選局され、画面に、例えば「該当するチャンネルはありません」といったメッセージが表示されるといったことをなくすことができる。
【００７７】
また、予め、サービステーブルのｓｅｒｖｉｃｅ＿ｉｄを大きさの順にソートしておくことにより、チャンネル番号を変えるとき、サービステーブル内の次のチャンネル番号を、逐次、サーチする必要がなくなり、さらに、高速にチャンネル番号の表示を変えることができる。
【００７８】
これにより、数百チャンネルよりなるディジタル衛星放送の選局を、簡単、かつ迅速に行うようにすることができる。
【図面の簡単な説明】
【００７９】
【図１】本発明が適用されるＡＶシステムの構成例を示すブロック図である。
【図２】図１のＩＲＤ２の正面の構成例を示す図である。
【図３】図１のＩＲＤ２の内部の構成例を示すブロック図である。
【図４】図１のリモートコマンダ６の構成例を示す図である。
【図５】ＮＩＴの構成例を示す図である。
【図６】ｓｅｒｖｉｃｅ＿ｌｉｓｔ＿ｄｅｓｃｒｉｐｔｏｒの構成例を示す図である。
【図７】チャンネルアップダウンキー９４を用いて選局する場合の処理例を説明するフローチャートである。
【図８】チャンネルアップダウンキー９４を用いて選局する場合の他の処理例を説明するフローチャートである。
【符号の説明】
【００８０】
１  パラボラアンテナ，  ２  ＩＲＤ，  ３  テレビジョン受像機，  ６  リモートコマンダ，  ２１  チューナ，  ２３  エラー訂正回路，  ２４  デマルチプレクサ，  ２５  ＭＰＥＧビデオデコーダ，  ２５ａ  ＤＲＡＭ，  ２６  ＭＰＥＧオーディオデコーダ，  ２６ａ  ＤＲＡＭ，  ２９  ＣＰＵ，  ３５  データバッファメモリ，  ３５Ａ  ＥＰＧエリア，  ３６  ＳＲＡＭ，  ３７  ＲＯＭ，  ３８  ＥＥＰＲＯＭ，  ３９  ＩＲ信号受信部
【図１】
0004688169.tif 000002
【図２】
0004688169.tif 000003
【図３】
0004688169.tif 000004
【図４】
0004688169.tif 000005
【図５】
0004688169.tif 000006
【図６】
0004688169.tif 000007
【図７】
0004688169.tif 000008
【図８】
0004688169.tif 000009